(57)【要約】【課題】  建物内で停電が発生し蓄電池により電力を供給する際に、電力消費を抑えたエレベータの運転を行うことでなるべく長時間エレベータの運転を継続させるようにする、停電時継続運転機能を備えたエレベータおよびエレベータ制御方法を提供する。【解決手段】  実施形態によれば、通常時の運転対象範囲が予め設定されているエレベータが、継続運転情報記憶部と電力供給制御部と継続運転情報設定部とエレベータ制御盤とを有する。継続運転情報記憶部は、停電時に継続運転させるときの運転対象範囲情報を記憶する。電力供給制御部は、停電時に蓄電池からエレベータへの電力供給を開始させる。継続運転情報設定部は、蓄電池から自エレベータ内への電力供給が開始されるときに運転対象範囲情報を自エレベータの運転対象範囲として設定する。エレベータ制御盤は、設定された運転対象範囲で自エレベータの運転を制御する。【選択図】図１
2014156331.tif 000002
【特許請求の範囲】
【請求項１】
管理対象の建物内に設置され、通常時の運転対象範囲が予め設定されているエレベータにおいて、
前記建物内の一部階床を、停電時に自エレベータを継続運転させるときの運転対象範囲として設定するための運転対象範囲情報を記憶する継続運転情報記憶部と、
停電発生を検知したときに、該当するエレベータを継続運転させるために、蓄電池から自エレベータ内への電力供給を開始させる電力供給制御部と、
前記電力供給制御部により、前記蓄電池から自エレベータ内への電力供給が開始されるときに、前記継続運転記憶部に記憶された運転対象範囲情報を、自エレベータの運転対象範囲として設定する継続運転情報設定部と、
設定された運転対象範囲で自エレベータの運転を制御するエレベータ制御盤と、
を備えることを特徴とする停電時継続運転機能を備えたエレベータ。
【請求項２】
前記電力供給制御部は、停電発生を検知した後、商用電源による電力供給が再開したことを検知すると、蓄電池から自エレベータ内への電力供給を停止し、
前記継続運転情報設定部は、前記運転対象範囲情報を設定した後に、蓄電池から自エレベータ内への電力供給が停止したことを検知すると、自エレベータに設定した前記運転対象範囲情報を解除して全階床を運転対象とする状態に戻す
ことを特徴とする請求項１に記載の停電時継続運転機能を備えたエレベータ。
【請求項３】
前記継続運転情報記憶部は、前記運転対象範囲情報に基づいて継続運転が行われる際の、他のエレベータへの乗り換え階床を示す乗換階情報をさらに記憶し、
前記継続運転情報設定部は、前記運転対象範囲情報を設定するときに、前記乗換階情報を自エレベータの乗りかご内の出力装置から出力させるために前記エレベータ制御盤に送信する
ことを特徴とする請求項１または２に記載の停電時継続運転機能を備えたエレベータ。
【請求項４】
前記蓄電池の容量を監視し、前記蓄電池の容量が所定値以下になったことを検知したときに、容量低下通知情報を前記電力供給制御部に出力する電池容量監視部をさらに有し、
前記電力供給制御部は、前記電池容量監視部から前記容量低下通知情報を取得すると、前記蓄電池から自エレベータ内への電力供給を停止し、
前記継続運転情報設定部は、前記電力供給制御部により前記蓄電池からの自エレベータへの電力供給が停止したことを検知すると、自エレベータに設定した前記運転対象範囲情報を解除して全階床を運転対象とする状態に戻す
ことを特徴とする請求項１〜３いずれか１項に記載の停電時継続運転機能を備えたエレベータ。
【請求項５】
前記エレベータは、当該建物内に複数台設置され、
前記建物内の、自エレベータとは異なる運転対象範囲情報を設定している他のエレベータにおいて蓄電池からの電力供給が停止されたことを検知すると、当該他のエレベータの運転対象範囲情報内の所定階床情報または全階床範囲情報を自エレベータの運転対象範囲情報に含め、前記継続運転情報設定部で設定された運転対象範囲情報を更新する継続運転情報更新部をさらに有する
ことを特徴とする請求項１〜４いずれか１項に記載の停電時継続運転機能を備えたエレベータ。
【請求項６】
前記エレベータは、当該建物内に設置された複数台のエレベータのうちの、優先利用者に対応したエレベータである
ことを特徴とする請求項１〜５いずれか１項に記載の停電時継続運転機能を備えたエレベータ。
【請求項７】
管理対象の建物内に設置され、通常時の運転対象範囲が予め設定されているエレベータが、
前記建物内の一部階床を、停電時に自エレベータを継続運転させるときの運転対象範囲として設定するための運転対象範囲情報を記憶する継続運転情報記憶ステップと、
停電発生を検知したときに、該当するエレベータを継続運転させるために、蓄電池から自エレベータ内への電力供給を開始させる電力供給制御ステップと、
前記電力供給制御ステップにより、前記蓄電池から自エレベータ内への電力供給が開始されるときに、前記継続運転記憶ステップで記憶された運転対象範囲情報を、自エレベータの運転対象範囲として設定する継続運転情報設定ステップと、
設定された運転対象範囲で自エレベータの運転を制御するエレベータ制御ステップと、
を有することを特徴とするエレベータ制御方法。
【発明の詳細な説明】
【技術分野】
【０００１】
本発明の実施形態は、停電時継続運転機能を備えたエレベータおよびエレベータ制御方法に関する。
【背景技術】
【０００２】
従来、停電が発生した際にエレベータの運転を継続させるために、建物内に停電時継続運転装置を設置することがある。停電時継続運転装置は蓄電池を備えており、停電発生により商用電源からの電源供給が停止されたことを検知すると、蓄電池からエレベータに電力を供給するように電源供給元を切り替える。
【０００３】
建物内に停電時継続運転装置を設置することにより、災害等により予測し得ない停電が発生した際にもエレベータを継続して運転することができ、階段利用が困難な利用者や高層階の利用者の利便性を保持することができる。
【先行技術文献】
【特許文献】
【０００４】
【特許文献１】特開２００７−２３８３１６号公報
【発明の概要】
【発明が解決しようとする課題】
【０００５】
上述したような停電時継続運転装置により停電時にエレベータの運転を継続させた場合、蓄電池の容量の範囲内で電源供給が可能であるが、蓄電池の容量がなくなるとそれ以降は電源供給が不可能になりエレベータの運転が継続できなくなってしまう。
【０００６】
エレベータの運転が継続されなくなると、建物内の利用者は階段で各階床を移動しなければならず、特に高層階の利用者に不便な状況になる。
【０００７】
本発明は上記事情に鑑みてなされたものであり、建物内で停電が発生し蓄電池により電力を供給する際に、電力消費を抑えたエレベータの運転を行うことでなるべく長時間エレベータの運転を継続させるようにする、停電時継続運転機能を備えたエレベータおよびエレベータ制御方法を提供することを目的とする。
【課題を解決するための手段】
【０００８】
上記目的を達成するための実施形態によれば、通常時の運転対象範囲が予め設定されているエレベータが、継続運転情報記憶部と電力供給制御部と継続運転情報設定部とエレベータ制御盤とを有する。継続運転情報記憶部は、停電時に継続運転させるときの運転対象範囲情報を記憶する。電力供給制御部は、停電時に蓄電池からエレベータへの電力供給を開始させる。継続運転情報設定部は、蓄電池から自エレベータ内への電力供給が開始されるときに運転対象範囲情報を自エレベータの運転対象範囲として設定する。エレベータ制御盤は、設定された運転対象範囲で自エレベータの運転を制御する。
【図面の簡単な説明】
【０００９】
【図１】第１実施形態によるエレベータを利用したエレベータシステムの構成を示す全体図。
【図２】第１実施形態によるエレベータの構成を示すブロック図。
【図３】第１実施形態によるエレベータに予め記憶された、停電時の運転対象範囲情報を示す説明図。
【図４】第１実施形態によるエレベータを複数設置したときの各エレベータの動作を示すフローチャート。
【図５】第２実施形態によるエレベータの構成を示すブロック図。
【発明を実施するための形態】
【００１０】
本発明の実施形態として、管理対象の建物が１階〜９階の階床を有し、これらの階床を移動するためのエレベータが３台設置されている場合について説明する。
【００１１】
《第１実施形態》
〈第１実施形態によるエレベータを備えたエレベータシステムの構成〉
本発明の第１実施形態によるエレベータを備えたエレベータシステム１の構成について、図１を参照して説明する。
【００１２】
本実施形態によるエレベータシステム１は、管理対象の建物に設置された第１エレベータ１０Ａ、第２エレベータ１０Ｂ、および第３エレベータ１０Ｃと、各階床（１階〜９階）のエレベータ乗場にそれぞれ設置された乗場呼び登録装置２１〜２９と、群管理制御装置３０とが接続されて構成されている。
【００１３】
第１エレベータ１０Ａ〜第３エレベータ１０Ｃはそれぞれ、エレベータ制御盤１１Ａ〜１１Ｃと、乗りかご１２Ａ〜１２Ｃと、停電時継続運転装置１３Ａ〜１３Ｃとを有する。これら第１エレベータ１０Ａ〜第３エレベータ１０Ｃの詳細な構成を、図２に示す。
【００１４】
エレベータ制御盤１１Ａ〜１１Ｃは、かご運転制御部１１１Ａ〜１１１Ｃと、かご内情報出力制御部１１２Ａ〜１１２Ｃとを有する。
【００１５】
かご運転制御部１１１Ａ〜１１１Ｃは、群管理制御装置３０から取得した制御情報や、乗りかご１２Ａ〜１２Ｃ内の行き先階登録ボタン（図示せず）の操作による行き先階登録情報に基づいて、設定された運転対象範囲内で乗りかご１２Ａ〜１２Ｃの昇降動作を制御する。かご運転制御部１１１Ａ〜１１１Ｃには、通常時は全階床（１階〜９階）が運転対象範囲として設定されており、停電発生時に停電時継続運転装置１３Ａ〜１３Ｃから運転対象範囲情報が設定されたときには当該範囲情報を運転対象として制御を行うように切り替える。
【００１６】
かご内情報出力制御部１１２Ａ〜１１２Ｃは、停電発生時に停電時継続運転装置１３Ａ〜１３Ｃから送信された乗換階情報を保持し、必要に応じて乗りかご１２Ａ〜１２Ｃ内のスピーカ（図示せず）や表示装置（図示せず）から情報を出力させる。
【００１７】
停電時継続運転装置１３Ａ〜１３Ｃは、継続運転情報記憶部１３１Ａ〜１３１Ｃと、蓄電池１３２Ａ〜１３２Ｃと、商用電源監視部１３３Ａ〜１３３Ｃと、電力供給制御部１３４Ａ〜１３４Ｃと、継続運転情報設定部１３５Ａ〜１３５Ｃと、電池容量監視部１３６Ａ〜１３６Ｃとを有する。
【００１８】
継続運転情報記憶部１３１Ａ〜１３１Ｃは、それぞれ自エレベータ１０Ａ〜１０Ｃに関し、停電時の継続運転対象を設定するための運転対象範囲情報、および、停電時の運転対象範囲情報に基づいて継続運転が行われる際の他のエレベータへの乗り換え階床を示す乗換階情報を記憶する。ここで運転対象範囲情報は、当該建物内の全階床のうちの一部階床を示す情報である。
【００１９】
商用電源監視部１３３Ａ〜１３３Ｃは、管理対象の建物内の商用電源による電力供給状態を監視し、商用電源による電力供給が停止し停電が発生したことを検知すると、停電検知情報を電力供給制御部１３４Ａ〜１３４Ｃに出力する。その後、商用電源による電力供給が再開したことを検知すると、給電再開検知情報を電力供給制御部１３４Ａ〜１３４Ｃに出力する。
【００２０】
電力供給制御部１３４Ａ〜１３４Ｃは、商用電源監視部１３３Ａ〜１３３Ｃから出力された停電検知情報を取得すると、蓄電池１３２Ａ〜１３２Ｃからエレベータ１０Ａ〜１０Ｃ内への電力供給を開始させるよう制御する。その後、商用電源監視部１３３Ａ〜１３３Ｃから出力された給電再開検知信号を取得すると、蓄電池１３２Ａ〜１３２Ｃからエレベータ１０Ａ〜１０Ｃ内への電力供給を停止するよう制御する。
【００２１】
また電力供給制御部１３４Ａ〜１３４Ｃは、蓄電池１３２Ａ〜１３２Ｃによる電力供給中に電池容量監視部１３６Ａ〜１３６Ｃから容量低下通知情報を取得すると、エレベータの運転の継続が困難になったと判定し、蓄電池１３２Ａ〜１３２Ｃからエレベータ１０Ａ〜１０Ｃ内への電力供給を停止するよう制御する。
【００２２】
継続運転情報設定部１３５Ａ〜１３５Ｃは、電力供給制御部１３４Ａ〜１３４Ｃにより蓄電池１３２Ａ〜１３２Ｃからの電力供給が開始されるときに、継続運転情報記憶部１３１Ａ〜１３１Ｃに記憶された運転対象範囲情報をエレベータ制御盤１１Ａ〜１１Ｃに設定するとともに、乗換階情報をエレベータ制御盤１１Ａ〜１１Ｃに送信する。
【００２３】
電池容量監視部１３６Ａ〜１３６Ｃは、蓄電池１３２Ａ〜１３２Ｃの電池容量を監視し、電池容量が予め設定された所定値以下になったことを検知したときに、容量低下通知情報を電力供給制御部１３４Ａ〜１３４Ｃに出力する。
【００２４】
乗場呼び登録装置２１〜２９は、当該建物の各階床のエレベータ乗場に設置され、上方向のかご呼びボタンまたは下方向のかご呼びボタンが操作されると、これらのボタン操作による乗場呼び登録情報が生成され、群管理制御装置３０に送信される。
【００２５】
群管理制御装置３０は、第１エレベータ１０Ａ、第２エレベータ１０Ｂ、および第３エレベータ１０Ｃの運転状況（乗りかごの位置や運転方向等）を監視し、乗場呼び登録装置２１〜２９から乗場呼び登録情報を取得すると、当該乗場呼び登録情報に応答するエレベータを各エレベータの運転状況に応じて選択する。そして、選択したエレベータに、当該乗場呼び登録情報への応答のための制御情報を送信する。
【００２６】
〈第１実施形態によるエレベータシステムの動作〉
次に、本実施形態によるエレベータシステム１の動作について説明する。本実施形態において、第１エレベータ１０Ａ〜１０Ｃの継続運転情報記憶部１３１Ａ〜１３１Ｃには予め、停電時に継続運転を行うために用いる運転対象範囲情報が記憶されている。例えば図３に太線で示すように、第１エレベータ１０Ａの継続運転情報記憶部１３１Ａには「７階〜９階」が記憶され、第２エレベータ１０Ｂの継続運転情報記憶部１３１Ｂには「４階〜７階」が記憶され、第３エレベータ１０Ｃの継続運転情報記憶部１３１Ｃには「１階〜４階」が記憶される。
【００２７】
また、継続運転情報記憶部１３１Ａ〜１３１Ｃには、これらの運転対象範囲に基づいて継続運転が行われる際の他のエレベータへの乗り換え階床を示す乗換階情報が予め記憶されている。例えば、第１エレベータ１０Ａの継続運転情報記憶部１３１Ａには下方向に運転する際の第２エレベータ１０Ｂへの乗換階情報「７階」が記憶され、第２エレベータ１０Ｂの継続運転情報記憶部１３１Ｂには上方向に運転する際の第１エレベータ１０Ａへの乗換階情報「７階」および下方向に運転する際の第３エレベータ１０Ｃへの乗換階情報「４階」が記憶され、第３エレベータ１０Ｃの継続運転情報記憶部１３１Ｃには上方向に運転する際の第２エレベータ１０Ｂへの乗換階情報「４階」が記憶される。
【００２８】
これらの第１エレベータ１０Ａ〜第３エレベータ１０Ｃにおいて、通常時は全階床（１階〜９階）が運転対象範囲として設定されている。そして、群管理制御装置３０により第１エレベータ１０Ａ〜第３エレベータ１０Ｃの運転状況が監視され、乗場呼び登録装置２１〜２９から乗場呼び登録情報が取得されると、当該乗場呼び登録情報に応答するエレベータが各エレベータの運転状況に応じて選択される。そして、選択したエレベータに、当該乗場呼び登録情報への応答のための制御情報が送信され、該当するエレベータで乗りかごの昇降動作が制御される。
【００２９】
また第１エレベータ１０Ａ〜第３エレベータ１０Ｃでは、乗りかご１２Ａ〜１２Ｃ内の行き先階登録ボタンの操作による行き先階登録情報に基づいて、設定された運転対象範囲内で乗りかご１２Ａ〜１２Ｃの昇降動作が制御される。
【００３０】
次に、建物内で停電が発生したときの各エレベータの動作を、図４のフローチャートを参照して説明する。
【００３１】
建物内で停電が発生すると、まず第１エレベータ１０Ａ、第２エレベータ１０Ｂ、および第３エレベータ１０Ｃのそれぞれの停電時継続運転装置１３Ａ〜１３Ｃの商用電源監視部１３３Ａ〜１３３Ｃで停電が検知され、停電検知情報が電力供給制御部１３４Ａ〜１３４Ｃに出力される（Ｓ１〜Ｓ３）。
【００３２】
第１エレベータ１０Ａ〜第３エレベータ１０Ｃの各電力供給制御部１３４Ａ〜１３４Ｃでは、商用電源監視部１３３Ａ〜１３３Ｃから出力された停電検知情報が取得されると、蓄電池１３２Ａ〜１３２Ｃからエレベータ１０Ａ〜１０Ｃ内への電力供給を開始させる制御が行われる。
【００３３】
また、電力供給制御部１３４Ａ〜１３４Ｃの制御により蓄電池１３２Ａ〜１３２Ｃから電源供給が開始されるときに、継続運転情報設定部１３５Ａ〜１３５Ｃにより、運転対象範囲情報および乗換階情報がエレベータ制御盤１１Ａ〜１１Ｃに出力される。
【００３４】
各エレベータ制御盤１１Ａ〜１１Ｃでは、継続運転情報設定部１３５Ａ〜１３５Ｃから出力された運転対象範囲情報が、以降の運転対象範囲としてかご運転制御部１１１Ａ〜１１１Ｃに設定される。また継続運転情報設定部１３５Ａ〜１３５Ｃから出力された乗換階情報が、かご内情報出力制御部１１２Ａ〜１１２Ｃに保持される（Ｓ４〜Ｓ６）。
【００３５】
また各エレベータ制御盤１１Ａ〜１１Ｃでは、蓄電池１３２Ａ〜１３２Ｃからの電力供給の開始が検知されると、乗りかご１２Ａ〜１２Ｃ内の行き先階登録ボタンの操作により登録された行き先階登録情報がキャンセルされ、実行中の乗りかご１２Ａ〜１２Ｃの昇降動作に関する制御が中止されるとともに、乗りかご１２Ａ〜１２Ｃが最寄階に停止して所定時間戸開するように制御が行われる（Ｓ７〜Ｓ９）。ここで乗りかご１２Ａ〜１２Ｃが戸開されたときに、かご内情報出力制御部１１２Ａ〜１１２Ｃの制御により、乗りかご１２Ａ〜１２Ｃ内の利用者に対し一旦降車することを促すメッセージ情報が音声や表示により出力される。
【００３６】
以降、各エレベータ制御盤１１Ａ〜１１Ｃでは、かご運転制御部１１１Ａ〜１１１Ｃに設定された運転対象範囲情報に基づいて、蓄電池１３２Ａ〜１３２Ｃから供給される電力により、継続して各エレベータ１０Ａ〜１０Ｃの運転が行われる。
【００３７】
例えば、停電時に利用者Ｘが、建物の入り口階である１階から８階に移動する場合について説明する。まず利用者Ｘが１階の乗場呼び登録装置２１で上方向のかご呼びボタンを操作すると、当該ボタン操作による乗場呼び登録情報が生成され、群管理制御装置３０に送信される。
【００３８】
群管理制御装置３０では、取得した情報が１階から上方向に移動するための乗場呼び登録情報であることが認識され、１階およびその上階を運転対象範囲情報に含む第３エレベータ１０Ｃに対し、乗りかご１２Ｃを１階に移動させるための制御情報が送信される。
【００３９】
送信された制御情報により、第３エレベータ１０Ｃの乗りかご１２Ｃが１階に到着し戸開すると、利用者Ｘが乗車する。そして、当該第３エレベータ１０Ｃの運転対象範囲が１階〜４階であること、および、５階以上に行く場合は乗換階である４階で第２エレベータ１０Ｂに乗り換えることを促す示すメッセージ情報が、かご内情報出力制御部１１２Ｃの制御により乗りかご１２Ｃ内に音声や表示で出力される。
【００４０】
利用者Ｘは、出力されたメッセージ情報を認識したことにより、乗りかご１２Ｃ内において乗換階である４階の行き先ボタンを操作する。かご運転制御部１１１Ｃは、当該操作に基づいて乗りかご１２Ｃを１階から４階へ移動させる（Ｓ１０）。
【００４１】
乗りかご１２Ｃが４階に到着して戸開すると利用者Ｘは乗り換えのために降車し、４階の乗場呼び登録装置２４で上方向のかご呼びボタンを操作する。乗場呼び登録装置２４では、当該かご呼びボタンの操作により乗場呼び登録情報が生成され、群管理制御装置３０に送信される。
【００４２】
群管理制御装置３０では、取得した情報が４階から上方向に移動するための乗場呼び登録情報であることが認識され、４階およびその上階を運転対象範囲情報に含む第２エレベータ１０Ｂに対し、乗りかご１２Ｂを４階に移動させるための制御情報が送信される。
【００４３】
送信された制御情報により、第２エレベータ１０Ｂの乗りかご１２Ｂが４階に到着し戸開すると、利用者Ｘが乗車する。そして、当該第２エレベータ１０Ｂの運転対象範囲が４階〜７階であること、および、８階以上に行く場合は乗換階である７階で第１エレベータ１０Ａに乗り換えることを促す示すメッセージ情報が、かご内情報出力制御部１１２Ｂの制御により乗りかご１２Ｂ内に音声や表示で出力される。
【００４４】
利用者Ｘは、出力されたメッセージ情報を認識したことにより、乗りかご１２Ｂ内において乗換階である７階の行き先ボタンを操作する。かご運転制御部１１１Ｂは、当該操作に基づいて乗りかご１２Ｂを４階から７階へ移動させる（Ｓ１１）。
【００４５】
乗りかご１２Ｂが７階に到着して戸開すると利用者Ｘは乗り換えのために降車し、７階の乗場呼び登録装置２７で上方向のかご呼びボタンを操作する。乗場呼び登録装置２７では、当該かご呼びボタンの操作により乗場呼び登録情報が生成され、群管理制御装置３０に送信される。
【００４６】
群管理制御装置３０では、取得した情報が７階から上方向に移動するための乗場呼び登録情報であることが認識され、７階およびその上階を運転対象範囲情報に含む第１エレベータ１０Ａに対し、乗りかご１２Ａを７階に移動させるための制御情報が送信される。
【００４７】
送信された制御情報により、第１エレベータ１０Ａの乗りかご１２Ａが７階に到着し戸開すると、利用者Ｘが乗車する。そして、利用者Ｘは乗りかご１２Ａ内において行先階である８階の行き先ボタンを操作する。
【００４８】
かご運転制御部１１１Ａは、当該操作に基づいて乗りかご１２Ａを７階から８階へ移動させる（Ｓ１２）。以上のような処理により、利用者Ｘは１階から８階に移動することができる。
【００４９】
また、停電時に利用者Ｙが１階から６階に移動したい場合には、同様にして、第３エレベータ１０Ｃの乗りかご１２Ｃから第２エレベータ１０Ｂの乗りかご１２Ｂに乗換階で乗り換えて利用することにより、移動が可能になる（Ｓ１３、Ｓ１４）。
【００５０】
また、停電時に利用者Ｚが１階から３階に移動したい場合には、第３エレベータ１０Ｃの利用のみで、移動が可能である（Ｓ１５）。
【００５１】
このように、停電時には各エレベータの運転対象範囲を限定して継続運転を行うことにより、走行距離や起動回数を減少させて蓄電池１３２Ａ〜１３２Ｃの容量減少を抑えることができ、エレベータの運転をより長く継続させることができる。
【００５２】
また継続運転が実行されている間、各蓄電池１３２Ａ〜１３２Ｃの容量は電池容量監視部１３６Ａ〜１３６Ｃでそれぞれ監視される。そして、電池容量が予め設定された所定値以下になったことが検知されると容量低下通知情報が生成され、電力供給制御部１３４Ａ〜１３４Ｃに出力される。
【００５３】
このとき、電池容量監視部１３６Ａ〜１３６Ｃにおいて、当該エレベータに登録されている行き先登録や乗場呼び登録の内容から、次の行き先階への走行やドアの開閉動作回数などに関する電力消費量を予測し、予測した電力消費量が現在の蓄電池の残量では供給不可能であると判断される場合に容量低下通知情報を生成するようにしてもよい。
【００５４】
電力供給制御部１３４Ａ〜１３４Ｃでは、電池容量監視部１３６Ａ〜１３６Ｃから容量低下通知情報が取得されると、エレベータの運転の継続が困難になったと判定され、該当する蓄電池１３２Ａ〜１３２Ｃからエレベータ１０Ａ〜１０Ｃ内への電力供給が停止される。
【００５５】
上述したように停電時に建物内の複数のエレベータを運転すると、建物の入り口階等を含む低層階を運転対象範囲とする第１エレベータ１０Ａは低層階（２〜４階）、中層階（５階〜７階）、高層階（８階、９階）の全ての利用者により利用される。そのため第１エレベータ１０Ａの利用頻度が高くなり、蓄電池１３２Ｃの容量が早く減少して３台の中で最も早くエレベータが停止される可能性が高い。
【００５６】
これに対し、中層階を運転対象範囲とする第２エレベータ１０Ｂは中層階（５〜７階）および低層階（２〜４階）の利用者により利用され、低層階を運転対象範囲とする第３エレベータ１０Ｃよりは長く蓄電池１３２Ｂによる継続運転が行われる可能性が高い。
【００５７】
さらに、高層階を運転対象範囲とする第３エレベータ１０Ｃは高層階（８階、９階）の利用者のみにより利用されるため、３台の中で最も長く継続運転が行われる可能性が高い。
【００５８】
そのため、エレベータの利用の必要性が高い高層階に対し、長くエレベータの継続運転を実行することができ、利用者に高い利便性を提供することができる。
【００５９】
《第２実施形態》
本発明の第２実施形態においては、群管理制御装置３０を設けず、第１エレベータ１０Ａのエレベータ制御盤１１Ａ、第２エレベータ１０Ｂのエレベータ制御盤１１Ｂ、および第３エレベータ１０Ｃのエレベータ制御盤１１Ｃを相互に接続して情報を送受信することにより、これら複数のエレベータ１０Ａ〜１０Ｃの群管理制御が行われるように構成する。
【００６０】
この場合、図５に示すように、エレベータ制御盤１１Ａ〜１１Ｃに継続運転情報更新部１１３Ａ〜１１３Ｃをそれぞれ設け、当該継続運転情報更新部１１３Ａ〜１１３Ｃにおいて、自エレベータとは異なる運転対象範囲情報が設定されている他のエレベータのエレベータ制御盤と情報が送受信される。
【００６１】
継続運転情報更新部１１３Ａ〜１１３Ｃは、他のエレベータにおいて蓄電池からの電力供給が停止されたことを検知すると、当該他のエレベータの運転対象範囲情報内の所定の基準階床情報または全階床範囲情報を自エレベータの運転対象範囲情報に含め、かご運転制御部１１１Ａ〜１１１Ｃに設定されている運転対象範囲情報を更新する。
【００６２】
例えば、第３エレベータ１０Ｃにおいて蓄電池１３２Ｃからの電力供給が停止されると、これが第２エレベータ１０Ｂの継続運転情報更新部１１３Ｂで検知される。そして、第３エレベータ１０Ｃの運転対象範囲情報として設定されていた階床「１階〜４階」のうち、建物の入り口階である「１階」が、第２エレベータ１０Ｂの運転対象範囲情報「４階〜７階」に含められ、かご運転制御部１１１Ｂに設定されている運転対象情報が「１階、４階〜７階」に更新される。または、第３エレベータ１０Ｃの運転対象範囲情報として設定されていた階床「１階〜４階」が全て第２エレベータ１０Ｂの運転対象範囲情報「４階〜７階」に含められ、かご運転制御部１１１Ｂに設定されている運転対象情報が「１階〜７階」に更新される。
【００６３】
このように運転対象情報が更新されることにより、建物の入り口階等、エレベータが停止すると利用者に不便となる基準階は常にいずれかのエレベータの運転対象範囲に含められるようにすることができ、利用者の利便性を向上させることができる。
【００６４】
この基準階は建物の入り口（１階等）に限られず、入り口階に近い階床（２階や３階）とすることで、さらに蓄電池による電力消費を低減させるようにしてもよい。
【００６５】
上述した各実施形態において、各エレベータの継続運転情報設定部１３５Ａ〜１３５Ｃは、停電発生により運転対象範囲情報をエレベータ制御盤１１Ａ〜１１Ｃに設定した後、蓄電池１３２Ａ〜１３２Ｃの容量が減少し電力供給が停止されたことを検知したときに、エレベータ制御盤１１Ａ〜１１Ｃに設定した運転対象範囲情報を解除するようにしてもよい。これにより、停電が終了し商用電源による電力供給が再開したときに、通常通りに全階床を対象として運転を再開することができる。
【００６６】
また停電時に、建物内に設置された複数台のエレベータのうちの、車いす利用者対応用のボタンを設置したエレベータ等、優先利用者に対応したエレベータのみを運転対象範囲を限定するように設定することで、当該エレベータの蓄電池の容量の減少をなるべく抑え、できるだけ長く運転させるようにして優先利用者の利便性を高くするようにしてもよい。
【００６７】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６８】
１…エレベータシステム
１０Ａ…第１エレベータ
１０Ｂ…第２エレベータ
１０Ｃ…第３エレベータ
１１Ａ〜１１Ｃ…エレベータ制御盤
１２Ａ〜１２Ｃ…乗りかご
１３Ａ〜１３Ｃ…停電時継続運転装置
２１〜２９…乗場呼び登録装置
３０…群管理制御装置
１１１Ａ〜１１１Ｃ…かご運転制御部
１１２Ａ〜１１２Ｃ…かご内情報出力制御部
１１３Ａ〜１１３Ｃ…継続運転情報更新部
１３１Ａ〜１３１Ｃ…継続運転情報記憶部
１３２Ａ〜１３２Ｃ…蓄電池
１３３Ａ〜１３３Ｃ…商用電源監視部
１３４Ａ〜１３４Ｃ…電力供給制御部
１３５Ａ〜１３５Ｃ…継続運転情報設定部
１３６Ａ〜１３６Ｃ…電池容量監視部
【図１】
2014156331.tif 000003
【図２】
2014156331.tif 000004
【図３】
2014156331.tif 000005
【図４】
2014156331.tif 000006
【図５】
2014156331.tif 000007
【手続補正書】
【提出日】平成26年4月16日(2014.4.16)
【手続補正１】
【補正対象書類名】特許請求の範囲
【補正対象項目名】全文
【補正方法】変更
【補正の内容】
【特許請求の範囲】
【請求項１】
管理対象の建物内に設置され、通常時の運転対象範囲が予め設定されているエレベータにおいて、
前記建物内の一部階床を、停電時に自エレベータを継続運転させるときの運転対象範囲として設定するための運転対象範囲情報を記憶する継続運転情報記憶部と、
自エレベータに設置された蓄電池の容量を監視し、前記蓄電池の容量が所定値以下になったことを検知したときに、容量低下通知情報を出力する電池容量監視部と、
停電発生を検知したときに、自エレベータを継続運転させるために、前記蓄電池から自エレベータ内への電力供給を開始させ、前記電池容量監視部から前記容量低下通知情報が出力されると、前記蓄電池から自エレベータ内への電力供給を停止させる電力供給制御部と、
前記電力供給制御部により、前記蓄電池から自エレベータ内への電力供給が開始されるときに、前記継続運転情報記憶部に記憶された運転対象範囲情報に基づいて、自エレベータの運転対象範囲を設定し、前記蓄電池から自エレベータへの電力供給が停止されるときに、自エレベータに設定した前記運転対象範囲を解除して、前記通常時の運転対象範囲を設定する状態に戻す継続運転情報設定部と、
設定された運転対象範囲で自エレベータの運転を制御するエレベータ制御盤と、
を備えることを特徴とする停電時継続運転機能を備えたエレベータ。
【請求項２】
管理対象の建物内に、同一機能を有する他のエレベータとともに設置され、通常時の運転対象範囲が予め設定されているエレベータにおいて、
前記建物内の一部階床を、停電時に自エレベータを継続運転させるときの運転対象範囲として設定するための運転対象範囲情報を記憶する継続運転情報記憶部と、
停電発生を検知したときに、自エレベータを継続運転させるために、自エレベータ内に設置された蓄電池から自エレベータ内への電力供給を開始させる電力供給制御部と、
前記電力供給制御部により、前記自エレベータ内に設置された蓄電池から自エレベータ内への電力供給が開始されるときに、前記継続運転情報記憶部に記憶された運転対象範囲情報に基づいて、自エレベータの運転対象範囲を設定する継続運転情報設定部と、
停電発生後に、前記建物内の、自エレベータとは異なる運転対象範囲を設定している前記他のエレベータにおいて、前記他のエレベータ内に設置された蓄電池からの電力供給が停止されたことを検知すると、当該他のエレベータの運転対象範囲内の所定階床情報または全階床範囲情報を自エレベータの運転対象範囲に含めるように、前記継続運転情報設定部で設定された運転対象範囲を更新する継続運転情報更新部と、
設定された運転対象範囲で自エレベータの運転を制御するエレベータ制御盤と、
を備えることを特徴とする停電時継続運転機能を備えたエレベータ。
【請求項３】
前記電力供給制御部は、停電発生を検知した後、商用電源による電力供給が再開したことを検知すると、蓄電池から自エレベータ内への電力供給を停止し、
前記継続運転情報設定部は、前記運転対象範囲を設定した後に、蓄電池から自エレベータ内への電力供給が停止したことを検知すると、自エレベータに設定した前記運転対象範囲を解除して、前記通常時の運転対象範囲を設定する状態に戻す
ことを特徴とする請求項２に記載の停電時継続運転機能を備えたエレベータ。
【請求項４】
前記継続運転情報記憶部は、前記運転対象範囲情報に基づいて継続運転が行われる際の、他のエレベータへの乗り換え階床を示す乗換階情報をさらに記憶し、
前記継続運転情報設定部は、前記運転対象範囲情報に基づいて運転対象範囲を設定するときに、前記乗換階情報を自エレベータの乗りかご内の出力装置から出力させるために前記エレベータ制御盤に送信する
ことを特徴とする請求項１〜３いずれか１項に記載の停電時継続運転機能を備えたエレベータ。
【請求項５】
管理対象の建物内に設置され、通常時の運転対象範囲が予め設定されているエレベータが、
前記建物内の一部階床を、停電時に自エレベータを継続運転させるときの運転対象範囲として設定するための運転対象範囲情報を記憶する継続運転情報記憶ステップと、
自エレベータに設置された蓄電池の容量を監視し、前記蓄電池の容量が所定値以下になったことを検知したときに、容量低下通知情報を出力する電池容量監視ステップと、
停電発生を検知したときに、自エレベータを継続運転させるために、前記蓄電池から自エレベータ内への電力供給を開始させ、前記電池容量監視ステップにより前記容量低下通知情報が出力されると、前記蓄電池から自エレベータ内への電力供給を停止させる電力供給制御ステップと、
前記電力供給制御ステップにより、前記蓄電池から自エレベータ内への電力供給が開始されるときに、前記継続運転情報記憶ステップで記憶された運転対象範囲情報に基づいて、自エレベータの運転対象範囲を設定し、前記蓄電池からの自エレベータへの電力供給が停止されるときに、自エレベータに設定した前記運転対象範囲を解除して、前記通常時の運転対象範囲を設定する状態に戻す継続運転情報設定ステップと、
設定された運転対象範囲で自エレベータの運転を制御するエレベータ制御ステップと、
を有することを特徴とするエレベータ制御方法。
【請求項６】
管理対象の建物内に、同一機能を有する他のエレベータとともに設置され、通常時の運転対象範囲が予め設定されているエレベータが、
前記建物内の一部階床を、停電時に自エレベータを継続運転させるときの運転対象範囲として設定するための運転対象範囲情報を記憶する継続運転情報記憶ステップと、
停電発生を検知したときに、自エレベータを継続運転させるために、自エレベータ内に設置された蓄電池から自エレベータ内への電力供給を開始させる電力供給制御ステップと、
前記電力供給制御ステップにより、前記自エレベータ内に設置された蓄電池から自エレベータ内への電力供給が開始されるときに、前記継続運転情報記憶ステップで記憶された運転対象範囲情報に基づいて、自エレベータの運転対象範囲を設定する継続運転情報設定ステップと、
停電発生後に、前記建物内の、自エレベータとは異なる運転対象範囲を設定している前記他のエレベータにおいて、前記他のエレベータ内に設置された蓄電池からの電力供給が停止されたことを検知すると、当該他のエレベータの運転対象範囲内の所定階床情報または全階床範囲情報を自エレベータの運転対象範囲に含めるように、前記継続運転情報設定ステップで設定された運転対象範囲を更新する継続運転情報更新ステップと、
設定された運転対象範囲で自エレベータの運転を制御するエレベータ制御盤と、
を有することを特徴とするエレベータ制御方法。
【手続補正２】
【補正対象書類名】明細書
【補正対象項目名】０００８
【補正方法】変更
【補正の内容】
【０００８】
上記目的を達成するための実施形態によれば、通常時の運転対象範囲が予め設定されているエレベータが、継続運転情報記憶部と電池容量監視部と電力供給制御部と継続運転情報設定部とエレベータ制御盤とを有する。継続運転情報記憶部は、停電時に継続運転させるときの運転対象範囲情報を記憶する。電池容量監視部は、自エレベータに設置された蓄電池の容量が所定値以下になったことを検知したときに、容量低下通知情報を出力する。電力供給制御部は、停電時に蓄電池からエレベータへの電力供給を開始させ、前記電池容量監視部から容量低下通知情報が出力されると、蓄電池から自エレベータ内への電力供給を停止させる。継続運転情報設定部は、蓄電池から自エレベータ内への電力供給が開始されるときに運転対象範囲情報に基づいて自エレベータの運転対象範囲を設定し、蓄電池からの自エレベータへの電力供給が停止されるときに、自エレベータに設定した運転対象範囲を解除して、通常時の運転対象範囲を設定する状態に戻す。エレベータ制御盤は、設定された運転対象範囲で自エレベータの運転を制御する。